【手続補正書】
【提出日】平成17年1月14日(2005.1.14)
【手続補正１】
【補正対象書類名】特許請求の範囲
【補正対象項目名】全文
【補正方法】変更
【補正の内容】
【特許請求の範囲】
【請求項１】
複数の医療関連施設に夫々設置される複数の施設処理装置と該複数の施設処理装置に双方向通信ネットワークを介して接続される集中処理装置とを備えた双方向通信ネットワークによる医療情報提供・取得システムであって、
前記集中処理装置は、前記複数の施設処理装置に所定種類の医療用アプリケーションプログラムを前記双方向通信ネットワークを介して夫々提供する提供手段を備え、
前記施設処理装置は、前記医療用アプリケーションプログラムの実行により得られる患者データを前記双方向通信ネットワークを介して前記集中処理装置に転送する第１転送手段と、医療関連施設毎且つ患者毎に異なる施設側患者識別符号を付与する第１付与手段と、該施設側患者識別符号が付与された患者に係る前記実行により得られる患者データを、施設側患者識別符号に基づき独自にデータ処理する第１処理手段とを備え、
前記集中処理装置は、患者毎に前記施設側患者識別符号と異なると共に関連性を有しない運営側患者識別符号を付与する第２付与手段と、該運営側患者識別符号が付与された患者に係る前記転送されてきた患者データを独自にデータ処理する第２処理手段とを更に備え、
前記複数の施設処理装置のうち少なくとも１つの施設処理装置は、前記運営側患者識別符号に基づいて、前記複数の施設処理装置のうち前記少なくとも１つの施設処理装置を除く他の施設処理装置に対して予約処理を含む秘匿性を要求されない処理を行う第３処理手段を更に備えることを特徴とする医療情報提供取得システム。
【請求項２】
前記第２処理手段は、前記運営側患者識別符号が付与された患者に係る前記転送されてきた患者データを、前記運営側患者識別符号に基づき独自にデータ処理し、
前記複数の施設処理装置のうち少なくとも１つの施設処理装置は、前記運営側識別符号を認識できない場合に、所定条件の下に前記運営側識別符号を取得する第１取得手段と、前記施設側識別符号及び前記運営側識別符号の少なくとも一つ、並びに予め定められたパスワードを提示して前記集中処理装置より前記患者データを取得する第２取得手段とを更に備えることを請求項１に記載の特徴とする医療情報提供取得システム。
【請求項３】
コンピュータを、請求項１に記載の双方向通信ネットワークによる医療情報提供・取得システムに備えられた前記集中処理装置及び前記施設処理装置のうち少なくとも一方として機能させるコンピュータプログラム。
【手続補正２】
【補正対象書類名】明細書
【補正対象項目名】０００８
【補正方法】変更
【補正の内容】
【０００８】
本発明の双方向通信ネットワークによる医療情報提供・取得システムは上記課題を解決するために、複数の医療関連施設に夫々設置される複数の施設処理装置と該複数の施設処理装置に双方向通信ネットワークを介して接続される集中処理装置とを備えた双方向通信ネットワークによる医療情報提供・取得システムであって、前記集中処理装置は、前記複数の施設処理装置に所定種類の医療用アプリケーションプログラムを前記双方向通信ネットワークを介して夫々提供する提供手段を備え、前記施設処理装置は、前記医療用アプリケーションプログラムの実行により得られる患者データを前記双方向通信ネットワークを介して前記集中処理装置に転送する第１転送手段と、医療関連施設毎且つ患者毎に異なる施設側患者識別符号を付与する第１付与手段と、該施設側患者識別符号が付与された患者に係る前記実行により得られる患者データを、前記施設側患者識別符号に基づいて独自にデータ処理する第１処理手段とを備え、前記集中処理装置は、患者毎に前記施設側患者識別符号と異なると共に関連性を有しない運営側患者識別符号を付与する第２付与手段と、該運営側患者識別符号が付与された患者に係る前記転送されてきた患者データを、前記運営側患者識別符号に基づいて独自にデータ処理する第２処理手段とを更に備え、前記複数の施設処理装置のうち少なくとも１つの施設処理装置は、前記運営側患者識別符号に基づいて、前記複数の施設処理装置のうち前記少なくとも１つの施設処理装置を除く他の施設処理装置に対して予約処理を含む秘匿性を要求されない処理を行う第３処理手段と、前記運営側識別符号を認識できない場合に、所定条件の下に前記運営側識別符号を取得する第１取得手段と、前記施設側識別符号及び前記運営側識別符号の少なくとも一つ、並びに予め定められたパスワードを提示して前記集中処理装置より前記患者データを取得する第２取得手段とを更に備える。
【手続補正３】
【補正対象書類名】明細書
【補正対象項目名】０００９
【補正方法】変更
【補正の内容】
【０００９】
本発明の双方向通信ネットワークによる医療情報提供・取得システムによれば、集中処理装置は、先ず提供手段によって、複数の施設処理装置に、例えば電子カルテなどの所定種類の医療用アプリケーションプログラムを、双方向通信ネットワークを介して夫々提供する。これを受けて、施設処理装置は、例えばブラウザを利用して、この医療用アプリケーションプログラムを実行することにより得られる（例えば、ブラウザ上や入力画面上で入力される）患者データを、第１転送手段によって、双方向通信ネットワークを介して集中処理装置に転送する。これと同時に或いは相前後して、施設処理装置は、第１付与手段によって、医療関連施設毎且つ患者毎に異なる施設側患者識別符号を付与し、更に、この施設側患者識別符号が付与された患者に係る、上述の医療用アプリケーションプログラムの実行により得られる患者データを、第１処理手段によって施設側患者識別符号に基づき独自にデータ処理する。他方、集中処理装置は、第２付与手段によって、患者毎に前述の施設側患者識別符号と異なると共に関連性を有しない運営側患者識別符号を付与すると共に、この運営側患者識別符号が付与された患者に係る、上述の施設処理装置側から転送されてきた患者データを、第２処理手段によって独自にデータ処理する。
【手続補正４】
【補正対象書類名】明細書
【補正対象項目名】００１０
【補正方法】変更
【補正の内容】
【００１０】
このように集中処理装置から施設処理装置に提供される医療用アプリケーションプログラムの実行により得られる患者データに対し、施設処理装置の第１処理手段と集中処理装置の第２処理手段とは、相互に異なると共に関連性を有しない施設側患者識別符号と運営側患者識別符号とを夫々利用して、独自にデータ処理を夫々行う。従って、患者データの秘匿性を向上させつつ、患者データの医療関連施設毎の個別利用を図ると共に、双方向通信ネットワークを介しての医療関連施設間での相互利用或いは複数の医療関連施設を束ねての集中利用を図ることが可能となる。
加えて、施設処理装置は、例えば集中処理装置より通知される運営側患者識別符号に基づいて、他の施設処理装置に対して秘匿性を要求されない処理（例えば、診療の予約処理等）を行う第３処理手段と、運営側識別符号を認識できない場合に、運営側識別符号を取得する第１取得手段とを備える。このため、施設処理装置は、運営側患者識別番号を利用して秘匿性が相対的に低い処理を実行することができ、医療関連施設毎の患者データの有効な利用を図ることができる。
【手続補正５】
【補正対象書類名】明細書
【補正対象項目名】００１２
【補正方法】変更
【補正の内容】
【００１２】
本発明の双方向通信ネットワークによる医療情報提供・取得システムの一の態様では、前記第２処理手段は、前記運営側患者識別符号が付与された患者に係る前記転送されてきた患者データを、前記運営側患者識別符号に基づき独自にデータ処理し、前記複数の施設処理装置のうち少なくとも１つの施設処理装置は、前記運営側識別符号を認識できない場合に、所定条件の下に前記運営側識別符号を取得する第１取得手段と、前記施設側識別符号及び前記運営側識別符号の少なくとも一つ、並びに予め定められたパスワードを提示して前記集中処理装置より前記患者データを取得する第２取得手段とを更に備える。
【手続補正６】
【補正対象書類名】明細書
【補正対象項目名】００１３
【補正方法】変更
【補正の内容】
【００１３】
この態様によれば、運営側患者識別符号を認識できないために患者を特定できない場合にも、患者を特定できる（例えば、再度運営側患者識別符号を取得できる）。この際、例えば患者の生体情報を提示することを条件に再度運営側患者識別符号を取得するように構成してもよい。このように構成すれば、運営側識別符号の取得のために例えば患者自身の生体情報を要求しているため、患者の秘匿性を確保しつつも、医療関連施設毎の患者データの有効な利用を図ることができる。
加えて、施設処理装置は、施設側識別符号及び運営側識別符号の少なくとも一つ、並びに予め定められたパスワードを提示して集中処理装置より患者データを取得する第２取得手段を更に備える。このため、パスワードを要求することによって秘匿性を確保しつつも、緊急時等においては患者データの有効な利用を図ることができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】変更
【補正の内容】
【００４９】
本発明のコンピュータプログラムによれば、上述した本発明の双方向通信ネットワークによる医療情報提供・取得システムに備えられた集中処理装置及び施設処理装置のうち少なくとも一方を、情報記録媒体の格納プログラムや通信ネットワークを通じたダウンロード／インストールによるプログラムで実行可能になる。より具体的には、当該コンピュータプログラムによって、コンピュータを、施設処理装置における第１転送手段、第１付与手段、第１処理手段、第３処理手段等として夫々機能させたり、集中処理装置を構成する提供手段、第２付与手段、第２処理手段等として夫々機能させたりできる。例えば、情報記録媒体によるパーケージソフトウェアや、通信ネットワークを通じたダウンロード／インストールによるシェアウエアとして流通させることが可能になり、本発明の汎用性が向上する。換言すれば、実施が容易かつ確実に出来るようになる。
【手続補正４３】
【補正対象書類名】明細書
【補正対象項目名】００５０
【補正方法】変更
【補正の内容】
【００５０】
尚、上述の如く本発明では、集中処理装置は、「提供手段」を備えることとしているが、このような提供手段を省略しても本発明は、相応の効果が得られる。即ち、本発明は、複数の医療関連施設に夫々設置される複数の施設処理装置と該複数の施設処理装置に双方向通信ネットワークを介して接続される集中処理装置とを備えた双方向通信ネットワークによる医療情報提供・取得システムであって、前記施設処理装置は、所定種類の医療用アプリケーションプログラムの実行により得られる患者データを前記双方向通信ネットワークを介して前記集中処理装置に転送する第１転送手段と、医療関連施設毎且つ患者毎に異なる施設側患者識別符号を付与する第１付与手段と、該施設側患者識別符号が付与された患者に係る前記実行により得られる患者データを、前記施設側患者識別符号に基づいて独自にデータ処理する第１処理手段とを備え、前記集中処理装置は、患者毎に前記施設側患者識別符号と異なると共に関連性を有しない運営側患者識別符号を付与する第２付与手段と、該運営側患者識別符号が付与された患者に係る前記転送されてきた患者データを独自にデータ処理する第２処理手段とを更に備え、前記複数の施設処理装置のうち少なくとも１つの施設処理装置は、前記運営側患者識別符号に基づいて、前記複数の施設処理装置のうち前記少なくとも１つの施設処理装置を除く他の施設処理装置に対して予約処理を含む秘匿性を要求されない処理を行う第３処理手段を更に備えて構成されてもよい。そして、このように構成する場合にも、上述した本発明の各種態様と同様の各種態様を採ることが可能である。